(57)【要約】【課題】防犯機能を有しつつ、防水性を確保することが可能な携帯端末装置を提供する。【解決手段】携帯端末装置は、所定の位置に開口部２４が形成されている筐体部と、絶縁性を有し、開口部２４を閉塞する閉塞部材２２と、閉塞部材２２により閉塞されている開口部２４に所定の範囲内で移動自在に備え付けられ、移動されることにより閉状態と開状態に遷移可能に構成されている移動部材２３とを備える。閉塞部材２２は、第１の端子２２２及び第２の端子２２３を備える。移動部材２３には、第３の端子２３２、第４の端子２３３及び容量素子がそれぞれ電気的に接続されて設けられている。携帯端末装置は、移動部材２３が閉状態の場合に、第３の端子２３２と第１の端子２２２が接触状態になり、移動部材２３が開状態の場合には、第４の端子２３３と第２の端子２２３が接触状態になる。【選択図】図３
2011114548.tif 000002
【特許請求の範囲】
【請求項１】
制御部と、
前記制御部による制御に応じて外部に音を出力する出力部と、
前記制御部を収納し、所定の位置に開口部が形成されている筐体部と、
絶縁性を有し、前記開口部を閉塞する閉塞部材と、
前記閉塞部材により閉塞されている前記開口部に所定の範囲内で移動自在に備え付けられ、移動されることにより閉状態と開状態に遷移可能に構成されている移動部材と、を備え、
前記閉塞部材には、導電性を有する第１の端子及び第２の端子が所定の間隔を隔てて形成されており、
前記筐体部の内部には、電源に接続されており、且つ、前記電源から供給される電圧を前記第１の端子に出力する電圧出力端子と、前記制御部に接続されており、前記第２の端子から出力される信号を検出する信号検出端子とが形成されており、
前記移動部材の前記開口部に対向する面には、所定の間隔を隔てて第３の端子、第４の端子及び容量素子が互いに電気的に接続されており、
前記移動部材が前記閉状態の場合には、前記第３の端子と前記第１の端子が接触状態になり、
前記移動部材が前記閉状態から前記開状態に遷移された場合には、前記第３の端子と前記第１の端子が非接触状態になり、前記第４の端子と前記第２の端子が接触状態になる携帯端末装置。
【請求項２】
前記容量素子は、前記移動部材が前記閉状態の場合には、前記第３の端子と前記第１の端子が接触状態になることにより、前記電圧出力端子を介して前記電源から電圧が供給されて、電荷を蓄積し、前記移動部材が前記閉状態から前記開状態に遷移された場合には、前記第３の端子と前記第１の端子が非接触状態になり、前記第４の端子と前記第２の端子が接触状態になることにより、蓄積されている電荷に基づく電圧を、前記信号検出端子を介して前記制御部に出力し、
前記制御部は、前記信号検出端子から電圧が供給された場合に、前記出力部に音を出力させる請求項１に記載の携帯端末装置。
【請求項３】
前記移動部材には、ストラップが備え付けられており、
前記ストラップが所定の方向に引っ張られることにより、前記移動部材が移動し、前記閉状態から前記開状態に遷移する請求項１に記載の携帯端末装置。
【請求項４】
前記閉塞部材は、モールド成形方法により形成する請求項１に記載の携帯端末装置。
【請求項５】
前記閉塞部材は、絶縁材料に所定の間隔を隔てて二つの貫通孔を形成し、当該貫通孔に導電性の材料を充填することにより前記第１の端子と前記第２の端子を形成する請求項１に記載の携帯端末装置。
【発明の詳細な説明】
【技術分野】
【０００１】
本発明は、外部に音を出力する出力部を備える携帯端末装置に関する。
【背景技術】
【０００２】
携帯電話機等の携帯端末装置には、防犯ブザーを備えるものがある。このような携帯電話機は、ストラップが取り付けられた引き抜き具を備え、ユーザが危険を察知したときにストラップを引っ張って引き抜き具を携帯電話機本体（スイッチ本体）から引き抜くことにより、スイッチ本体の接点が接続され（スイッチがオン状態になり）、防犯ブザーを鳴動させる（特許文献１参照）。
【先行技術文献】
【特許文献】
【０００３】
【特許文献１】特開２００３−６０７５２号公報
【発明の概要】
【発明が解決しようとする課題】
【０００４】
しかしながら、上述した携帯電話機は、防犯ブザーを鳴動させるためにスイッチをオン状態にさせた場合、スイッチの内部機構及びこの内部機構の周囲に配置された回路基板等が外部に露出するので、防水性を保つことが困難であった。
【０００５】
本発明は、防犯機能を有しつつ、防水性を確保することが可能な携帯端末装置を提供することを目的とする。
【課題を解決するための手段】
【０００６】
本発明の携帯端末装置は、制御部と、前記制御部による制御に応じて外部に音を出力する出力部と、前記制御部を収納し、所定の位置に開口部が形成されている筐体部と、絶縁性を有し、前記開口部を閉塞する閉塞部材と、前記閉塞部材により閉塞されている前記開口部に所定の範囲内で移動自在に備え付けられ、移動されることにより閉状態と開状態に遷移可能に構成されている移動部材と、を備え、前記閉塞部材には、導電性を有する第１の端子及び第２の端子が所定の間隔を隔てて形成されており、前記筐体部の内部には、電源に接続されており、且つ、前記電源から供給される電圧を前記第１の端子に出力する電圧出力端子と、前記制御部に接続されており、前記第２の端子から出力される信号を検出する信号検出端子とが形成されており、前記移動部材の前記開口部に対向する面には、所定の間隔を隔てて第３の端子、第４の端子及び容量素子が互いに電気的に接続されており、前記移動部材が前記閉状態の場合には、前記第３の端子と前記第１の端子が接触状態になり、前記移動部材が前記閉状態から前記開状態に遷移された場合には、前記第３の端子と前記第１の端子が非接触状態になり、前記第４の端子と前記第２の端子が接触状態になることを特徴とする。
【０００７】
また、前記容量素子は、前記移動部材が前記閉状態の場合には、前記第３の端子と前記第１の端子が接触状態になることにより、前記電圧出力端子を介して前記電源から電圧が供給されて、電荷を蓄積し、前記移動部材が前記閉状態から前記開状態に遷移された場合には、前記第３の端子と前記第１の端子が非接触状態になり、前記第４の端子と前記第２の端子が接触状態になることにより、蓄積されている電荷に基づく電圧を、前記信号検出端子を介して前記制御部に出力し、前記制御部は、前記信号検出端子から電圧が供給された場合に、前記出力部に音を出力させることが好ましい。
【０００８】
また、前記移動部材には、ストラップが備え付けられており、前記ストラップが所定の方向に引っ張られることにより、前記移動部材が移動し、前記閉状態から前記開状態に遷移することが好ましい。
【０００９】
また、前記閉塞部材は、モールド成形方法により形成することが好ましい。
【００１０】
また、前記閉塞部材は、絶縁材料に所定の間隔を隔てて二つの貫通孔を形成し、当該貫通孔に導電性の材料を充填することにより前記第１の端子と前記第２の端子を形成することが好ましい。
【発明の効果】
【００１１】
本発明によれば、防犯機能を有しつつ、防水性を損ない難い携帯端末装置を提供することができる。
【図面の簡単な説明】
【００１２】
【図１】携帯端末装置の一実施形態に係る携帯電話機の外観斜視図である。
【図２】携帯電話機における操作部側筐体の背面側の斜視図である。
【図３】移動部材が設けられている部分の構成について説明するための断面図である。
【図４】閉塞部材について説明するための図である。
【図５】移動部材が開状態になった場合について説明するための断面図である。
【図６】図３に示した構成の回路図である。
【図７】移動部材及び閉塞部材の変形例について説明するための図である。
【図８】移動部材の第２変形例について説明するための図である。
【図９】移動部材の第３変形例について説明するための図である。
【図１０】閉塞部材の第２変形例について説明するための図である。
【図１１】第３の端子及び第４の端子の変形例について説明するための図であり、（Ａ）は正面図であり、（Ｂ）は斜視図である。
【発明を実施するための形態】
【００１３】
以下、本発明を実施するための好ましい実施形態について、図面を参照しながら説明する。まず、本発明の携帯端末装置の一実施形態に係る携帯電話機１の基本構造について、図１を参照しながら説明する。図１は、携帯端末装置の一実施形態に係る携帯電話機１の外観斜視図である。図２は、携帯電話機１における操作部側筐体２の背面１６側の斜視図である。
【００１４】
図１に示すように、携帯電話機１は、筐体としての操作部側筐体２と、表示部側筐体３と、操作部側筐体２と表示部側筐体３とを連結するヒンジ機構４とを備える。
操作部側筐体２は、前面１０に、操作部１１とマイク１２とを備える。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５とから構成されている。
マイク１２は、携帯電話機１の使用者が通話時に発した音声を入力するために用いられる。
【００１５】
表示部側筐体３は、前面３０に、表示部３１とレシーバ３２とを備える。表示部側筐体３の前面３０は、携帯電話機１を折り畳んだ状態で操作部側筐体２と向かい合う面である。
表示部３１は、通話の相手側の電話番号やメールアドレス、及びメールの内容等の各種情報（文字情報や画像情報）を表示する。レシーバ３２は、通話の相手側の音声を出力する。
【００１６】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とを互いに開いた状態（開状態）にしたり、操作部側筐体２と表示部側筐体３とを折り畳んだ状態（閉状態）にしたりできる。
【００１７】
なお、図１は、いわゆる折り畳み式の携帯電話機１を挙げているが、携帯電話機としては、特にこれに限らない。すなわち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とが１つの筐体に配置されたもの（いわゆる、ストレートタイプ、フリップタイプ）であってもよい。
【００１８】
また、図２に示すように、操作部側筐体２の背面（前面１０とは反対側の面）１６には、スライド式のスイッチ（移動部材２３及び閉塞部材２２等）が設けられている。図２（Ａ）に示すように、スイッチがオフ状態（移動部材２３が閉状態）になっている場合に、携帯電話機のユーザが図２（Ｂ）に示す矢印Ａ方向にスイッチを移動させる（移動部材２３が開状態）と、スイッチはオン状態になる。なお、スイッチの詳細な構成については後述する。
【００１９】
このように構成される携帯電話機１は、防犯機能を有しつつ、防水性を確保する機能を有する。
以下に、携帯電話機１に係る上記機能を発揮するための構成と動作について詳述する。
図３は、移動部材２３が設けられている部分の構成について説明するための断面図である。図４は、閉塞部材２２について説明するための図である。ここで、図４（Ａ）は、閉塞部材２２の斜視図である。図４（Ｂ）は、同図（Ａ）の矢視断面図である。図５は、移動部材２３が開状態になった場合について説明するための断面図である。
【００２０】
図３に示すように、携帯電話機１は、制御部２０と、スピーカ２１（出力部）と、操作部側筐体２（筐体部）と、閉塞部材２２と、移動部材２３とを備える。なお、スイッチは、閉塞部材２２及び移動部材２３等により構成される。
【００２１】
スピーカ２１は、制御部２０による制御に応じて外部に音を出力する。スピーカ２１は、制御部２０にハイ（Ｈｉｇｈ）信号が供給された場合、制御部２０による制御に応じて、例えば、警報音を出力する。スピーカ２１は、例えば、ユーザ以外の第三者に対して緊急事態が発生したことを知らせることができる音量、又はユーザを襲撃する相手に対して威嚇を行うことができる音量によって警報音を出力する。一方、スピーカ２１は、制御部２０にロウ（Ｌｏｗ）信号が供給される場合、制御部２０による制御に応じて、警報音を出力しない。
なお、スピーカ２１は、本実施形態の場合、操作部側筐体２の背面１６側に設けられている。操作部側筐体２におけるスピーカ２１に対向する部分には、複数の孔部１７が設けられている（図２参照）。なお、孔部１７は、空気は通すが水は通さない材料により塞がれており、水が浸入しない構造になっている。
【００２２】
操作部側筐体２は、制御部２０を収納し、且つ、所定の位置に開口部２４が形成されている。
閉塞部材２２は、絶縁性を有し、開口部２４を閉塞する。本実施形態の場合、閉塞部材２２は、操作部側筐体２の内側から開口部２４を閉塞するように操作部側筐体２に固着されている。このため、操作部側筐体２には、開口部２４を形成するための側壁及び閉塞部材２２により、凹部２５が形成される。凹部２５は、後述するように、移動部材２３に形成された突出部２３１の移動を制限するものであるため、例えば、突出部２３１の移動方向が図３に示す左右方向になるように平面形状が矩形に形成されていてもよい。
【００２３】
閉塞部材２２は、絶縁材料２２１に所定の間隔を隔てて二つの貫通孔が形成され、この貫通孔に導電性の材料を充填することにより第１の端子２２２と第２の端子２２３が形成されていることが好ましい（図４参照）。これにより、閉塞部材２２には、導電性を有する第１の端子２２２及び第２の端子２２３が所定の間隔を隔てて形成される。なお、第１の端子２２２及び第２の端子２２３は、閉塞部材２２の上面と下面とにそれぞれ露出する。
【００２４】
閉塞部材２２は、例えば、モールド成形方法により形成することもできる。具体的な形成方法としては、まず閉塞部材２２を形成するための金型内のキャビティに、所定の間隔を隔てて２つの導電性の材料を配置する。キャビティは、導電性の材料と同じ高さ又は導電性の材料よりも僅かに高く形成されている。導電性の材料は、第１の端子２２２及び第２の端子２２３を構成する。次に、キャビティには、絶縁材料２２１となる樹脂が供給される。樹脂成型が終了した後、導電性の材料を備える樹脂（閉塞部材２２）は、金型から取り出される。導電性の材料の上面又は下面が樹脂により覆われている場合には、樹脂を除去するための薬品等を利用して、導電性の材料の上面又は下面を覆う樹脂を取り除けばよい。このようにして、閉塞部材２２は形成される。
【００２５】
図３に示すように、移動部材２３は、閉塞部材２２により閉塞されている開口部２４に所定の範囲内で移動自在に備え付けられ、移動されることにより閉状態（図３参照）と開状態（図５参照）に遷移可能に構成されている。移動部材２３は、ベース部材２３６から開口部２４側に向けて突出する突出部２３１を備える。突出部２３１は、操作部側筐体２に形成された凹部２５に挿入され、閉塞部材２２の上面を移動する。さらに、突出部２３１は、凹部２５の側面（開口部２４を形成するための操作部側筐体２の側壁）により、移動方向及び移動範囲が制限される。これにより、移動部材２３は、所定の範囲内において移動自在となる。
【００２６】
移動部材２３の開口部２４に対向する面には、所定の間隔を隔てて第３の端子２３２、第４の端子２３３及びコンデンサ２３４（容量素子）が互いに電気的に接続されている。すなわち、第３の端子２３２、第４の端子２３３及びコンデンサ２３４は、移動部材２３（ベース部材２３６）の下面に引き回された電極パターン２３５によりそれぞれ導通される。第３の端子２３２及び第４の端子２３３は、移動部材２３が移動する方向（図３では左右方向）に沿って配置されている。移動部材２３が閉状態（図３参照）の場合には、第３の端子２３２と第１の端子２２２とが接触状態になる。また、第４の端子２３３は、第１の端子２２２と第２の端子２２３との間の絶縁材料２２１に接触する。すなわち、第４の端子２３３は、第１の端子２２２及び第２の端子２２３と非接触状態となる。一方、移動部材２３が閉状態から開状態（図５参照）に遷移された場合には、第３の端子２３２と第１の端子２２２とが非接触状態になり、第４の端子２３３と第２の端子２２３とが接触状態になる。すなわち、第３の端子２３２は、第１の端子２２２と第２の端子２２３との間の絶縁材料２２１に接触する。
【００２７】
また、操作部側筐体２の内部には、電源２６に接続されており、且つ、電源２６から供給される電圧を第１の端子２２２に出力する電圧出力端子２７と、制御部２０に接続されており、第２の端子２２３から出力される信号を検出する信号検出端子２８とが形成されている。
【００２８】
次に、スピーカ２１から音を出力する場合の携帯電話機１の動作について説明する。図６は、図３に示した構成の回路図である。
まず、コンデンサ２３４は、移動部材２３が閉状態の場合（図３参照）、第３の端子２３２と第１の端子２２２が接触状態になることにより、電圧出力端子２７を介して電源２６から電圧が供給されて、電荷を蓄積する（図６（Ａ）参照）。移動部材２３が閉状態の場合、第２の端子２２３が第３の端子２３２及び第４の端子２３３のいずれとも非接触状態になることにより、制御部２０には、電圧（ハイ（Ｈｉｇｈ）信号）が供給されない。したがって、制御部２０は、スピーカ２１から音を出力させない。
【００２９】
次に、コンデンサ２３４は、移動部材２３が閉状態から開状態に遷移された場合（図５参照）、第３の端子２３２と第１の端子２２２が非接触状態になり、第４の端子２３３と第２の端子２２３が接触状態になることにより、信号検出端子２８を介して、蓄積されている電荷に基づく電圧を制御部２０に出力する。制御部２０は、信号検出端子２８から電圧が供給された場合に、スピーカ２１に音を出力させる。すなわち、制御部２０では、信号検出端子２８からハイ（Ｈｉｇｈ）信号が供給されることにより、割り込み要因が発生する。制御部２０は、その割り込み要因から防犯スイッチの解除を検知し、スピーカ２１から警報音を出力させる制御を行う。
【００３０】
以上説明したように、携帯電話機１は、第１の端子２２２及び第２の端子２２３を備えた閉塞部材２２によって操作部側筐体２の開口部２４を塞ぐと共に、ユーザに緊急事態が発生したときには、閉塞部材２２の上部を移動部材２３が移動されて、コンデンサ２３４を第２の端子２２３に導通させる。このため、携帯電話機１は、移動部材２３が設けられている部分から操作部側筐体２の内部に液体が侵入することを防ぐことができる。さらに、携帯電話機１は、ユーザに緊急事態が発生したときには、スピーカ２１から音（例えば、警報音）を出力することができる。
【００３１】
なお、移動部材２３には、ストラップ２９が備え付けられていてもよい。この場合、ストラップ２９が所定の方向に引っ張られることにより、移動部材２３が移動し、閉状態から開状態に遷移する。ストラップ２９は、ユーザによって引っ張られることが可能な形状であれば如何なるものであってもよく、例えば、図２に示すように環形状であってもよく、また図３及び図５に示すように、移動部材２３に取り付けられる紐２９ａと、この紐２９ａの先端に接続された環状部分２９ｂとを備える形状であってもよい。
したがって、携帯電話機１は、ユーザによってストラップ２９が引っ張られることにより移動部材２３を開状態に遷移させるので、ユーザに緊急事態が発生した場合でも、素早く且つ確実に移動部材２３を開状態にさせることができる。
【００３２】
＜変形例＞
次に、移動部材２３が設けられている部分の変形例について説明する。なお、以下に説明する変形例の構成要素には、上述した実施形態の構成要素と同様の機能を有するものに、上述した実施形態の構成要素と同一の符号を付す。
【００３３】
まず、移動部材２３（第１変形例）及び閉塞部材２２（第１変形例）の変形例について説明する。図７は、移動部材２３及び閉塞部材２２の変形例について説明するための図である。ここで、図７（Ａ）は、移動部材２３の底面図である。図７（Ｂ）は、閉塞部材２２（閉塞部材２２が設けられている操作部側筐体２の開口部２４）の平面図である。図７（Ｃ）は、移動部材２３が閉状態となる場合の、移動部材２３が設けられている部分の平面図である。図７（Ｄ）は、移動部材２３が開状態となる場合の、移動部材２３が設けられている部分の平面図である。
【００３４】
図７（Ａ）に示すように、第３の端子２３２及び第４の端子２３３は、移動部材２３が移動する方向（図７に示す場合では左右方向）に交差する方向に沿って並べて配置される。第３の端子２３２は、第４の端子２３３よりも、移動部材２３が閉状態から開状態に遷移する方向（図７に示す場合では右方向）にずれて配置される。第３の端子２３２及び第４の端子２３３は、移動部材２３の底面に設けられた電極パターン２３５によって互いに電気的に接続されている。なお、コンデンサ２３４（図７（Ａ）参照）は、電極パターン２３５によって第３の端子２３２及び第４の端子２３３のそれぞれに電気的に接続される。
図７（Ｂ）に示すように、第１の端子２２２及び第２の端子２２３は、移動部材２３が移動する方向に対して直交する方向（図７に示す場合では上下方向）に沿って並べて配置される。
【００３５】
図７（Ｃ）に示すように、移動部材２３が閉状態の場合、第１の端子２２２と第３の端子２３２とは、接触状態となる。これにより、コンデンサ２３４は、第１の端子２２２及び第３の端子２３２を介して電源２６（図７では不図示）から電圧が供給されて、電荷を蓄積する。一方、第４の端子２３３は、閉塞部材２２を構成する絶縁材料２２１に接触する。このため、第２の端子２２３は、第３の端子２３２及び第４の端子２３３のいずれとも非接触状態となる。
【００３６】
図７（Ｄ）に示すように、移動部材２３が開状態となった場合、第１の端子２２２と第３の端子２３２とは、非接触状態となる。一方、第２の端子２２３と第４の端子２３３とは、導通状態となる。これにより、コンデンサ２３４は、第２の端子２２３及び第４の端子２３３を介して、蓄積されている電荷に基づく電圧を制御部２０（図７では不図示）に供給する。これにより、制御部２０は、コンデンサ２３４から供給された電圧（ハイ（Ｈｉｇｈ）信号）に基づいて割り込み要因を発生させて、スピーカ２１（図７では不図示）から警報音を出力させる制御を行う。
【００３７】
したがって、携帯電話機１は、移動部材２３が移動する方向に対して交差する方向に沿って第３の端子２３２と第４の端子２３３とが配置される場合でも、移動部材２３が閉状態から開状態に遷移されることにより制御部２０にハイ（Ｈｉｇｈ）信号を供給するので、スピーカ２１から音（例えば、警報音）を出力することができる。
【００３８】
次に、移動部材２３の第２変形例について説明する。図８は、移動部材２３の第２変形例について説明するための図である。ここで、図８（Ａ）は、移動部材２３が閉状態の場合を示す断面図及び移動部材２３の底面図である。図８（Ｂ）は、移動部材２３が開状態となった場合を示す断面図である。
第２変形例の移動部材２３における開口部２４に対向する面には、第３の端子２３２及びコンデンサ２３４が設けられている。第３の端子２３２及びコンデンサ２３４は、移動部材２３の下面に引き回された電極パターン２３５によりそれぞれ導通される。
【００３９】
移動部材２３が閉状態の場合（図８（Ａ）参照）には、第３の端子２３２と第１の端子２２２とが接触状態となり、第３の端子２３２と第２の端子２２３とが非接触状態となる。この場合、コンデンサ２３４は、電圧出力端子２７、第１の端子２２２及び第３の端子２３２を介して電源２６から電圧が供給されて、電荷を蓄積する。
一方、移動部材２３に接続されたストラップ２９がユーザによって引っ張られることにより移動部材２３が開状態となった場合（図８（Ｂ）参照）には、第３の端子２３２と第２の端子２２３とが接触状態となり、第３の端子２３２と第１の端子２２２とが非接触状態となる。この場合、コンデンサ２３４は、第３の端子２３２、第２の端子２２３及び信号検出端子２８を介して、蓄積されている電荷に基づく電圧を制御部２０に出力する。制御部２０は、コンデンサ２３４から電圧（ハイ（Ｈｉｇｈ）信号）が供給されたことに基づいて割り込み要因を検知して、スピーカ２１から警報音を出力させる制御を行う。
したがって、携帯電話機１は、移動部材２３に端子が１つだけ設けられている場合であっても、移動部材２３が閉状態から開状態に遷移されることにより制御部２０にハイ（Ｈｉｇｈ）信号を供給するので、スピーカ２１から音（例えば、警報音）を出力することができる。
【００４０】
次に、移動部材２３の第３変形例について説明する。図９は、移動部材２３の第３変形例について説明するための図である。ここで、図９（Ａ）は、移動部材２３が閉状態の場合を示す断面図及び移動部材２３の底面図である。図９（Ｂ）は、移動部材２３が開状態となった場合を示す断面図である。
【００４１】
第３変形例の移動部材２３における開口部２４に対向する面には、第３の端子２３２及び第４の端子２３３が設けられている。第３の端子２３２及び第４の端子２３３は、移動部材２３の移動方向（図９に示す場合では左右方向）に沿って並べて配置されている。第３の端子２３２及び第４の端子２３３は、移動部材２３の下面に引き回された電極パターン２３５によりそれぞれ導通される。
【００４２】
移動部材２３が閉状態の場合（図９（Ａ）参照）には、第４の端子２３３と第１の端子２２２とが接触状態となる。第３の端子２３２は、第２の端子２２３とは反対側における絶縁材料２２１（閉塞部材２２）に接触する。この場合、電源２６からは、電圧が供給されない。
【００４３】
一方、移動部材２３に接続されたストラップ２９がユーザによって引っ張られることにより移動部材２３が開状態となった場合（図９（Ｂ）参照）には、第３の端子２３２と第１の端子２２２とが接触状態となると共に、第４の端子２３３と第２の端子２２３とが接触状態となる。この場合、電源２６は、電圧出力端子２７と、第１の端子２２２と、第３の端子２３２と、第４の端子２３３と、第２の端子２２３と、信号検出端子２８とを介して、制御部２０に電圧（ハイ（Ｈｉｇｈ）信号）を供給する。制御部２０は、電源２６から電圧（ハイ（Ｈｉｇｈ）信号）が供給されたことに基づいて割り込み要因を検知して、スピーカ２１から警報音を出力させる制御を行う。
【００４４】
したがって、携帯電話機１は、第３の端子２３２及び第４の端子２３３が移動部材２３に設けられている場合であっても、移動部材２３が閉状態から開状態に遷移されることにより制御部２０にハイ（Ｈｉｇｈ）信号を供給するので、スピーカ２１から音（例えば、警報音）を出力することができる。
【００４５】
次に、閉塞部材２２の第２変形例について説明する。図１０は、閉塞部材２２の第２変形例について説明するための図である。ここで、図１０（Ａ）は、閉塞部材２２の斜視図である。図１０（Ｂ）は、同図（Ａ）の矢視断面図である。
【００４６】
第２変形例の閉塞部材２２は、ベースとなる絶縁材料２２１と、絶縁材料２２１の表面にそれぞれ設けられる第１の端子２２２及び第２の端子２２３とを有する。第１の端子２２２は、絶縁材料２２１の上面２２１ａ、左側面２２１ｂ及び下面２２１ｃを引き回された電極パターンから構成される。第２の端子２２３は、絶縁材料２２１の上面２２１ａ、右側面２２１ｄ及び下面２２１ｃを引き回された電極パターンから構成される。
【００４７】
このような第１の端子２２２及び第２の端子２２３は、例えば、次のようにして形成されればよい。すなわち、第１の端子２２２及び第２の端子２２３が形成される部分に対応して開口部が形成されたマスクによって絶縁材料２２１を覆う。この後、マスクによって覆われた絶縁材料２２１を、真空蒸着装置、イオンプレーティング装置又はスパッタ装置等の成膜装置内に入れる。次に、成膜装置によって、マスクの開口部に露出する絶縁材料２２１に金（Ａｕ）等の金属材料からなる薄膜を形成する。この後、絶縁材料２２１を成膜装置から取り出して、絶縁材料２２１からマスクを取り外すことにより、第１の端子２２２及び第２の端子２２３が形成された絶縁材料２２１（閉塞部材２２）を得る。
【００４８】
なお、図１０（Ｂ）では、第１の端子２２２及び第２の端子２２３を分かりやすくするために、第１の端子２２２及び第２の端子２２３を実際よりも厚くして記載している。このため、電極パターン状の第１の端子２２２及び第２の端子２２３を絶縁材料２２１に形成した場合であっても、移動部材２３の移動に伴う第３の端子２３２又は第４の端子２３３の移動が第１の端子２２２又は第２の端子２２３によって阻害されることはない。
【００４９】
このような閉塞部材２２は、上述した実施形態と同様に、操作部側筐体２の開口部２４を閉塞するように操作部側筐体２に固着される。この場合、第１の端子２２２及び第２の端子２２３によって絶縁材料２２１の表面に僅かな段差が存在するときでも、操作部側筐体２と閉塞部材２２との間に封止部材（例えば、絶縁性接着剤）を配置することにより、絶縁材料２２１の表面の段差に基づく閉塞部材２２と操作部側筐体２との間に生じる僅かな隙間から水分が浸入することを防ぐことができる。
【００５０】
したがって、携帯電話機１は、第１の端子２２２及び第２の端子２２３が絶縁材料２２１の表面を引き回されることにより形成される閉塞部材２２を用いた場合であっても操作部側筐体２の開口部２４を閉塞するので、移動部材２３が設けられている部分から操作部側筐体２の内部に液体が侵入することを防ぐことができる。
【００５１】
なお、上述した実施形態及び変形例では、第３の端子２３２及び第４の端子２３３のそれぞれの先端が尖鋭な形状になっている場合について説明した。しかしながら、本発明は、この形態に限定されることはなく、第３の端子２３２及び第４の端子２３３のそれぞれが他の形状になっていてもよい。一例としては、第３の端子２３２及び第４の端子２３３は、図１１（Ａ）に示すような先端が丸みを帯びた形状であってもよく、図１１（Ｂ）に示すような半円柱形状であってもよい。なお、第３の端子２３２及び第４の端子２３３が図１１（Ｂ）に示す半円形状の場合、第３の端子２３２及び第４の端子２３３は、同図に示す矢印Ｂ方向（左右方向）に移動するように移動部材２３に配置されれば、閉塞部材２２との間に生じる摩擦が小さくなる。
【００５２】
また、上述した実施形態及び変形例では、移動部材２３及び閉塞部材２２が操作部側筐体２に設けられた場合について説明した。しかしながら、本発明は、この形態に限定されることはなく、移動部材２３及び閉塞部材２２が表示部側筐体３に設けられていてもよい。
【００５３】
また、上述した実施形態及び変形例では、本発明の携帯端末装置が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）や防犯装置等の携帯端末装置にも適用することができる。
【符号の説明】
【００５４】
１  携帯電話機（携帯端末装置）
２  操作部側筐体（筐体部）
２０  制御部
２１  スピーカ（出力部）
２２  閉塞部材
２２１  絶縁材料
２２２  第１の端子
２２３  第２の端子
２３  移動部材
２３２  第３の端子
２３３  第４の端子
２３４  コンデンサ（容量素子）
２４  開口部
２６  電源
２７  電圧出力端子
２８  信号検出端子
２９  ストラップ
【図１】
2011114548.tif 000003
【図２】
2011114548.tif 000004
【図３】
2011114548.tif 000005
【図４】
2011114548.tif 000006
【図５】
2011114548.tif 000007
【図６】
2011114548.tif 000008
【図７】
2011114548.tif 000009
【図８】
2011114548.tif 000010
【図９】
2011114548.tif 000011
【図１０】
2011114548.tif 000012
【図１１】
2011114548.tif 000013